(57)【要約】【課題】ある給紙段の用紙の設定を変更することにより、関連する給紙段の用紙の設定との不整合を認識できるが、関連する給紙段の用紙の設定を変更せずに、特定の給紙段の用紙の設定だけを変更することは考慮されていない。【解決手段】印刷制御装置であって、印刷装置で使用される用紙に関する情報を記憶しておき、印刷装置の給紙段の情報を取得する。そして、印刷装置の給紙段が選択され、当該選択された給紙段の用紙の情報の編集が選択されると、当該選択された用紙の情報に対応する用紙が、用紙に関する設定の変更が禁止された給紙段に収容されているかどうか判定し、その選択された用紙の情報に対応する用紙が、用紙に関する設定の変更が禁止された給紙段に収容されていると判定されると、その選択された用紙の情報の編集の結果を、別の用紙の情報として保存するようにユーザに指示する。【選択図】  図８
2019025689.tif 000002
【特許請求の範囲】
【請求項１】
印刷制御装置であって、
印刷装置で使用される用紙に関する情報を記憶する記憶手段と、
前記印刷装置の給紙段の情報を取得する取得手段と、
前記記憶手段に記憶されている用紙の情報の編集が選択されると、前記取得手段により取得した前記給紙段の情報を参照して、当該選択された用紙の情報に対応する用紙が、用紙に関する設定の変更が禁止された給紙段に収容されているかどうか判定する判定手段と、
前記判定手段により、前記選択された用紙の情報に対応する用紙が、用紙に関する設定の変更が禁止された給紙段に収容されていると判定されると、前記選択された用紙の情報の編集の結果を、別の用紙の情報として保存するようにユーザに指示する制御手段と、
を有することを特徴とする印刷制御装置。
【請求項２】
印刷制御装置であって、
印刷装置で使用される用紙に関する情報を記憶する記憶手段と、
前記印刷装置の給紙段の情報を取得する取得手段と、
前記印刷装置の給紙段が選択され、当該選択された給紙段の用紙の情報の編集が選択されると、当該選択された用紙の情報に対応する用紙が、用紙に関する設定の変更が禁止された給紙段に収容されているかどうか判定する判定手段と、
前記判定手段により、前記選択された用紙の情報に対応する用紙が、用紙に関する設定の変更が禁止された給紙段に収容されていると判定されると、前記選択された用紙の情報の編集の結果を、別の用紙の情報として保存するようにユーザに指示する制御手段と、
を有することを特徴とする印刷制御装置。
【請求項３】
前記別の用紙の情報として保存された用紙の情報を、用紙に関する設定の変更が禁止されていない給紙段に割り当てる割当手段を、更に有することを特徴とする請求項１又は２に記載の印刷制御装置。
【請求項４】
前記制御手段は更に、前記選択された用紙の情報を編集できない旨のメッセージをユーザに提示することを特徴とする請求項１乃至３のいずれか１項に記載の印刷制御装置。
【請求項５】
前記判定手段により、前記選択された用紙の情報に対応する用紙が、用紙に関する設定の変更が禁止された給紙段に収容されていると判定されると、当該給紙段における前記用紙に関する設定の変更の禁止を解除するための画面を表示する表示手段を、更に有し、
前記制御手段は、前記画面を介して前記給紙段における前記用紙に関する設定の変更の禁止が解除されると、前記選択された用紙の情報の編集を許可することを特徴とする請求項１乃至４のいずれか１項に記載の印刷制御装置。
【請求項６】
前記用紙の情報は、用紙の属性とともに当該用紙に印刷される画像の位置、前記用紙のカール補正の調整値、前記用紙を使用した後処理のための調整値のうちの、少なくともいずれかを含むことを特徴とする請求項１乃至５のいずれか１項に記載の印刷制御装置。
【請求項７】
請求項１乃至６のいずれか１項に記載の印刷制御装置と、
複数の給紙段と、
前記複数の給紙段の何れから給紙された用紙に画像を印刷する印刷手段と、
を有することを特徴とする印刷装置。
【請求項８】
印刷装置で使用される用紙に関する情報を記憶する記憶部を有する印刷制御装置を制御する制御方法であって、
前記印刷装置の給紙段の情報を取得する取得工程と、
前記記憶部に記憶されている用紙の情報の編集が選択されると、前記取得工程で取得した前記給紙段の情報を参照して、当該選択された用紙の情報に対応する用紙が、用紙に関する設定の変更が禁止された給紙段に収容されているかどうか判定する判定工程と、
前記判定工程で、前記選択された用紙の情報に対応する用紙が、用紙に関する設定の変更が禁止された給紙段に収容されていると判定されると、前記選択された用紙の情報の編集の結果を、別の用紙の情報として保存するようにユーザに指示する制御工程と、
を有することを特徴とする制御方法。
【請求項９】
印刷装置で使用される用紙に関する情報を記憶する記憶部を有する印刷制御装置を制御する制御方法であって、
前記印刷装置の給紙段の情報を取得する取得工程と、
前記印刷装置の給紙段が選択され、当該選択された給紙段の用紙の情報の編集が選択されると、当該選択された用紙の情報に対応する用紙が、用紙に関する設定の変更が禁止された給紙段に収容されているかどうか判定する判定工程と、
前記判定工程で、前記選択された用紙の情報に対応する用紙が、用紙に関する設定の変更が禁止された給紙段に収容されていると判定されると、前記選択された用紙の情報の編集の結果を、別の用紙の情報として保存するようにユーザに指示する制御工程と、
を有することを特徴とする制御方法。
【請求項１０】
コンピュータを、請求項１乃至６のいずれか１項に記載の印刷制御装置の各手段として機能させるためのプログラム。
【発明の詳細な説明】
【技術分野】
【０００１】
本発明は、印刷装置と印刷制御装置、及びその制御方法とプログラムに関する。
【背景技術】
【０００２】
ディジタル複合機を使用して印刷する際に、ユーザは、その印刷に使用する用紙に関する種々の設定を行うことができる。この設定には、例えば、用紙の名称、坪量、表面性等の、その用紙が持っている属性に基づく設定や、その用紙に印刷する上でディジタル複合機の特性が影響する設定（例：用紙の表面／裏面のレジ位置調整量、用紙のカール補正量）がある。従って、ディジタル複合機を使用するユーザは、このような用に対する設定を最適なものにして印刷物を作成する必要がある。
【０００３】
ディジタル複合機の給紙段に割当てられた用紙の設定を管理する手法として、いくつかの形態が考えられる。例えば、用紙の情報（設定含む）をデータベースで一元管理し、給紙段に割当てられている用紙の設定は、データベースから複製した情報を使用する（つまり、データベース内の用紙情報と給紙段の用紙情報とが独立している）という形態がある。この場合は、データベースと、給紙段ごとの用紙の設定とを独立して管理するが、データベースの情報が更新された場合には、そのデータベースと給紙段の用紙の設定との連携処理が複雑になりがちである。
【０００４】
そのため、別の形態として、例えば、用紙の情報（設定含む）をデータベースで一元管理し、給紙段に割当てられている用紙の設定は、データベースの情報を参照する形態がある。例えば、データベース上の用紙のＩＤだけを給紙段の用紙の設定とし、給紙段の用紙の設定の際には、そのＩＤをキーにしてデータベースから参照する形態（以降、参照型）が考えられる。この場合は、データベースの用紙の設定が更新されると、その更新を、給紙段の用紙の設定に容易に反映させることができる。
【０００５】
用紙の設定操作は、適正な印刷物を得るために必要なものであり、このため、その設定の操作性を高める仕組みが考えられている。例えば、特許文献１では、用紙の設定の操作において、その設定が適切でない場合には、ユーザの確認を促すことを目的として警告画面を表示している。具体的には、給紙段の用紙に設定されている設定を変更する際、関連する給紙段の用紙の設定との不整合が生じる場合に警告を行うシステムが記載されている。こうして用紙の設定の変更が適切か否かを判定し、適切でない場合に警告画面を表示することで、ディジタル複合機における用紙の設定の操作性を向上させている。
【先行技術文献】
【特許文献】
【０００６】
【特許文献１】特開２０１３−１１１８２０号公報
【発明の概要】
【発明が解決しようとする課題】
【０００７】
一般に、印刷物に応じて、給紙段の用紙に対する設定は変更されるが、印刷会社によっては、特定の給紙段を特定の用紙のみ収容して印刷する運用にして、ユーザによる給紙段への用紙セットや設定の変更操作の手間を軽減している場合がある。例えば、第１の給紙段は、常に特定の用紙のみを収容し、印刷物に応じて第２の給紙段へ所定の用紙（第１の給紙段は、その所定の用紙と同じ用紙を収容する場合も含む）を設定して運用する。
【０００８】
このような運用を画像形成システムで実現する場合、給紙段ごとに、その用紙の設定の変更可否を設定する手段を設け、用紙の設定を簡単に変更できないようにすることが考えられる。しかしながらその場合、第１と第２の給紙段に同一の用紙が設定されており、第１の給紙段の用紙に対してのみ設定の変更が禁止されている状態で、第２の給紙段の用紙の設定を変更しようとすると、第２の給紙段の設定を不可にする必要がある。なぜなら上述の参照型では、２つの給紙段に同一の用紙が設定されている状態で一方の給紙段の用紙の設定だけを変更すると、それに連動して他方の給紙段の用紙の設定も変更されてしまうためである。従って、このような場合、画像形成システムは、設定が変更された用紙が、設定を変更できない給紙段に収容されている場合は、その用紙の設定を変更できないようにする必要がある。
【０００９】
ここで、２つの給紙段に同一の用紙が設定されている状態で、一方の給紙段の用紙の設定を変更したいケースとして、例えばカール補正量の設定変更を例として説明する。カール補正量の設定は、用紙が搬送パスを通過して印刷されて排紙される際にカールしないように補正する設定である。この設定は、用紙の種類（表面性、坪量、材質）と、給紙段から通紙する紙搬送路の設定を含み、この設定により、より効果的なカール補正結果を得ることができる。例えば、用紙の搬送路が一直線の場合と、曲線を描くような場合では、用紙のカールになりやすさが異なる。よって、同じ種類（表面性、坪量、材質）の用紙が、それぞれ通紙する紙搬送路が異なる複数の給紙段に設定されている場合、同じ用紙であっても用紙のカール補正値を給紙段ごとに異なる設定にしないと効果的なカール補正結果を得られない場合がある。その場合は、用紙の設定を変更したい給紙段ごとに、用紙の設定変更作業を行う必要がある。これはディジタル複合機を使用するユーザの利便性を損ない、この結果、ディジタル複合機の生産性向上を実現できない状況となる。
【００１０】
上述の特許文献１に記載の技術では、用紙の設定を変更すると、その設定が変更された用紙が格納される給紙段と同一グループ化されている給紙段の用紙の設定と整合しているかを調べ、整合していないときはいなければ警告を出している。そのため、ある給紙段の用紙の設定を変更することにより、関連する給紙段の用紙の設定との不整合を認識できるが、関連する給紙段の用紙の設定を変更せずに、特定の給紙段の用紙の設定だけを変更することは考慮されていない。
【００１１】
本発明の目的は、上記従来技術の課題を解決することにある。
【００１２】
本発明の目的は、用紙の設定を変更する際、その用紙が用紙の設定変更が禁止されている給紙段に収容されているときのユーザの操作性を向上させる技術を提供することにある。
【課題を解決するための手段】
【００１３】
上記目的を達成するために本発明の一態様に係る印刷制御装置は以下のような構成を備える。即ち、
印刷制御装置であって、
印刷装置で使用される用紙に関する情報を記憶する記憶手段と、
前記印刷装置の給紙段の情報を取得する取得手段と、
前記記憶手段に記憶されている用紙の情報の編集が選択されると、前記取得手段により取得した前記給紙段の情報を参照して、当該選択された用紙の情報に対応する用紙が、用紙に関する設定の変更が禁止された給紙段に収容されているかどうか判定する判定手段と、
前記判定手段により、前記選択された用紙の情報に対応する用紙が、用紙に関する設定の変更が禁止された給紙段に収容されていると判定されると、前記選択された用紙の情報の編集の結果を、別の用紙の情報として保存するようにユーザに指示する制御手段と、を有することを特徴とする。
【発明の効果】
【００１４】
本発明により、用紙の設定を変更する際、その用紙が用紙の設定変更が禁止されている給紙段に収容されているときのユーザの操作性を向上させることができる。
【図面の簡単な説明】
【００１５】
【図１】実施形態に係る画像形成システムの全体構成を説明するブロック図。
【図２】実施形態に係る画像形成装置のハードウェア構成を説明するブロック図。
【図３】実施形態に係る印刷制御装置のハードウェア構成を説明するブロック図。
【図４】実施形態に係る印刷制御装置で動作する用紙管理アプリケーションによる表示されるトップ画面の一例を示す図。
【図５】実施形態に係る印刷制御装置で用紙管理アプリケーションが起動してトップ画面を表示するまでの処理を説明するフローチャート。
【図６】実施形態に係る画像形成装置における、図５の印刷制御装置の処理に対する処理を説明するフローチャート。
【図７】実施形態に係る印刷制御装置の外部表示装置に表示される給紙段１の用紙設定画面の一例を示す図。
【図８】実施形態１に係る印刷制御装置による用紙設定の編集処理を説明するフローチャート。
【図９】実施形態１に係る印刷制御装置で表示される用紙リスト画面の一例を示す図。
【図１０】図９の画面で編集ボタンが押下されたときに表示される用紙編集画面の一例を示す図。
【図１１】実施形態２に係る印刷制御装置の外部表示装置に表示される給紙段２の用紙設定画面の一例を示す図。
【図１２】実施形態２に係る印刷制御装置による用紙設定の編集処理を説明するフローチャート。
【図１３】実施形態３に係る印刷制御装置による用紙設定の編集処理を説明するフローチャート。
【図１４】実施形態３に係る印刷制御装置で動作する用紙管理アプリケーションによる表示される用紙設定変更禁止を解除する画面の一例を示す図。
【発明を実施するための形態】
【００１６】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１７】
図１は、実施形態に係る画像形成システム１００の全体構成を説明するブロック図である。
【００１８】
この画像形成システム１００は、画像形成装置（印刷装置）１０３と、印刷制御装置１０２とを備えている。印刷制御装置１０２は、クライアントコンピュータ１０１とケーブル１０９、Ｌｏｃａｌ Ａｒｅａ Ｎｅｔｗｏｒｋ（ＬＡＮ）１１０を介して通信可能に接続されている。また印刷制御装置１０２と画像形成装置１０３とは、画像ビデオケーブル１０７及び制御ケーブル１０８を介して接続されている。実施形態では、画像形成装置１０３は、ＬＡＮ１１０に直接接続されていないため、印刷制御装置１０２を介してクライアントコンピュータ１０１と通信する。尚、画像形成装置１０３は、ＬＡＮ１１０に接続されても良い。つまり画像形成装置１０３は、直接、クライアントコンピュータ１０１と通信可能に接続されていても良い。
【００１９】
クライアントコンピュータ１０１は、アプリケーションを起動させて画像形成システム１００に印刷指示などを行う。また印刷制御装置１０２は、画像形成装置１０３と連携して画像処理を行う。画像形成装置１０３は種々の機能を有する複合機である。この画像形成装置１０３は、クライアントコンピュータ１０１や印刷制御装置１０２からの画像データに対する印刷処理を行うだけでなく、スキャナ部１０４により得られた原稿の画像データをコピーしたり、共有フォルダに送信することができる。スキャナ部１０４で原稿を走査する際には、操作部１０５の各種キーを介して、ユーザからの各種指示を受け付ける。また操作部１０５は、操作部１０５の操作パネルを介して、スキャン状態などの各種情報を表示する。排紙部１０６は画像が形成（印刷）された用紙を受け取って排紙する。
【００２０】
表示部１１１は印刷制御装置１０２の表示部であり、印刷制御装置１０２における情報を表示する。操作ボタン部１１２は印刷制御装置１０２のハードウェアの操作ボタン部であり、ユーザは、このボタンを操作して表示部１１１に表示されている情報に基づく操作を行う。表示部１１１に表示される情報は、印刷制御装置１０２を操作する上で最低限必要となる情報（電源操作やＩＰアドレスの確認）を表示する目的で使用される。外部表示装置１１３は、印刷制御装置１０２に接続された液晶モニタ等の表示装置である。更に印刷制御装置１０２には、キーボード１１４、ポインティングデバイス１１５が接続されており、ユーザはこれらを使用して必要な情報や命令等を印刷制御装置１０２に入力できる。
【００２１】
実施形態では、印刷制御装置１０２と画像形成装置１０３とがそれぞれ別体の装置として説明するが、画像形成装置１０３が印刷制御装置１０２の機能を包含して、印刷制制御装置１０２を省略しても良い。また外部表示装置１１３は、例えばタッチパッドのような座標入力機能を有し、ポインティングデバイス１１５の機能を兼ねる構成でも良い。
【００２２】
図２は、実施形態に係る画像形成装置１０３のハードウェア構成を説明するブロック図である。
【００２３】
ＣＰＵ２０１は、ＲＯＭ２０３のブートプログラムを実行して外部記憶装置２１１に記憶されている制御プログラムをＲＡＭ２０２に展開し、その展開したプログラムを実行することにより、システムバス２０４に接続される各種のデバイスを総括的に制御する。ＣＰＵ２０１は、印刷インターフェース２０７を介して接続される印刷部（プリンタエンジン）２１０に出力情報としての画像信号を出力し、読取インターフェース２１２を介して接続されるスキャナ部１０４から入力される画像信号を制御する。またＣＰＵ２０１は、ＬＡＮコントローラ２０６を介して印刷制御装置１０２との通信処理が可能である。ＲＡＭ２０２は、主としてＣＰＵ２０１の主メモリ、ワークエリア等として機能する。ハードディスク（ＨＤＤ）、ＩＣカード等の外部記憶装置２１１は、ディスクコントローラ（ＤＫＣ）２０８によりアクセスが制御される。外部記憶装置２１１は、アプリケーションプログラム、フォントデータ、フォームデータ等を記憶したり、プリントジョブを一時的にスプールし、スプールされたジョブを外部から制御するためのジョブ格納領域として使用される。また更に、スキャナ部１０４から入力された画像データやプリントジョブの画像データをＢＯＸデータとして保持し、ネットワークから参照したり、印刷を行うＢＯＸデータ格納領域としても使用される。実施形態では、外部記憶装置２１１としてはＨＤＤを使用するものとし、ジョブログ、画像ログ等各種ログを保持する。操作部１０５は、ユーザがソフトウェアキー或いはハードウェアキーを操作して各種情報を入力する。不揮発性メモリ２０９は、操作部１０５やネットワークを介して端末から設定される各種設定情報を記憶している。ビデオインターフェース２１４は、画像ビデオケーブル１０７を介して印刷制御装置１０２から画像データを受信する。
【００２４】
図３は、実施形態に係る印刷制御装置１０２のハードウェア構成を説明するブロック図である。
【００２５】
ＣＰＵ３０１は、ＲＯＭ３０３に記憶されているブートプログラムを実行して外部記憶装置３０９に記憶された制御プログラムをＲＡＭ３０２に展開する。そしてその展開したプログラムを実行することにより、システムバス３０４に接続される各種のデバイスを総括的に制御する。またＣＰＵ３０１は、ＬＡＮコントローラ３０６を介して画像形成装置１０３との通信処理が可能である。またＣＰＵ３０１は、ＬＡＮコントローラ３０７を介してネットワーク上のクライアントコンピュータ１０１や画像形成装置１０３との通信処理が可能である。ＲＡＭ３０２は、主としてＣＰＵ３０１の主メモリ、ワークエリア等として機能する。ハードディスク（ＨＤＤ）、ＩＣカード等の外部記憶装置３０９は、ディスクコントローラ（ＤＫＣ）３０８によりアクセスが制御される。外部記憶装置３０９は、アプリケーションプログラム、フォントデータ、フォームデータ等を記憶したり、プリントジョブを一時的にスプールする。スプールされたジョブをＲＩＰ（Ｒａｓｔｅｒ Ｉｍａｇｅ Ｐｒｏｃｅｓｓｏｒ）処理し、再度保存するためのジョブ格納領域として使用される。操作部Ｉ／Ｆ３０５は、ユーザが操作ボタン部１１２から入力した各種情報を受取ってＣＰＵ３０１に伝え、またＣＰＵ３０１により出力された情報を表示部１１１へ表示する。ビデオインターフェース３１０は、画像ビデオケーブル１０７を介して画像形成装置１０３へＲＩＰ処理した画像データを送信する。キーボードコントローラ（ＫＢＣ）３１１は、キーボード１１４、ポインティングデバイス１１５からの情報などの入力に係る処理を行う。表示制御部３１２は、内部にビデオメモリを有し、ＣＰＵ３０１からの指示に従ってそのビデオメモリに描画すると共に、そのビデオメモリに描画されたイメージデータをビデオ信号として外部表示装置１１３に出力して表示させる。
【００２６】
図４は、実施形態に係る印刷制御装置１０２で動作する用紙管理アプリケーションによる表示されるトップ画面４０１の一例を示す図である。図４は、画像形成装置１０３の複数の給紙段の情報を表示した画面例を示す。用紙管理アプリケーションのトップ画面４０１は、ＣＰＵ３０１からの指示に従ってそのビデオメモリに描画すると共に、ビデオメモリに描画されたイメージデータをビデオ信号として外部表示装置１１３に出力されて表示される。
【００２７】
エリア４０２は、タブコントロールを実施可能な表示領域で、ユーザがデバイスタブ４０３を押下すると、このエリア４０２に画像形成装置１０３の給紙段情報が表示される（図４の状態）。また調整タブ４０４が押下されると、そのエリア４０２には、各種調整設定を実施可能なボタンが表示される。またエリア４０５には、現在の印刷制御装置１０２に接続されている画像形成装置１０３のハードウェアオプションの接続状況が表示される。用紙管理アプリケーションは起動すると、後述する図５のフローチャートに従って画像形成装置１０３のハードウェアオプション情報を取得し、このオプション情報に従って、このエリア４０５を表示する。
【００２８】
図４では、ＰＯＤデッキが重連、フィニッシャが接続されている状態を表している。給紙段ボタン４０６〜４１３は、用紙管理アプリケーションが起動した時に画像形成装置１０３から取得した給紙段の情報を基に表示されている。用紙情報を表示するエリア４１４は、各行にその種類とその属性が表示されている。エリア４１４に表示されている用紙以外の情報を表示したい場合は、スライダーバー４１５を操作することで、それら情報がスクロールされて表示される。また表示されている属性以外を表示したい場合は、スライダーバー４１６を操作することで表示可能となる。給紙段ボタンのボタン４１７は、その給紙段の用紙設定の変更可否を切り替え可能なボタンである。図４では「許可」、即ち、給紙段２の用紙設定の変更が可能に設定されている例を示している。一方、給紙段１の給紙ボタン４０６のボタン４１７は「禁止」、即ち、給紙段１の用紙設定の変更が不可に設定されている。このボタン４１７を押下する度に、用紙設定の変更可否の状態が、「許可」と「禁止」でトグルするようにしてもよい。実施形態では、給紙段ごとに用紙設定の変更可否状態を保持しており、許可状態か禁止状態かを示している。用紙リストボタン４１８は、図９に示す用紙リスト画面を表示するように指示するボタンである。実施形態では、用紙リストボタン４１８が押下されると、用紙アプリケーションは、例えば図９に示すような用紙リスト画面を、外部表示装置１１３の最前面に表示する。
【００２９】
また用紙管理アプリケーションは、ボタン４１７が押下される度に、その給紙段に対する用紙設定の変更可否の状態をＲＡＭ３０２に格納する。尚、ここでは説明のため、起動時の用紙設定の変更可否の状態は、許可状態とする。
【００３０】
図５は、実施形態に係る印刷制御装置１０２で用紙管理アプリケーションが起動してトップ画面を表示するまでの処理を説明するフローチャートである。尚、このフローチャートで示す処理は、ＣＰＵ３０１が外部記憶装置３０９からＲＡＭ３０２に展開したプログラムを実行することにより実現される。
【００３１】
まずＳ５０１でＣＰＵ３０１は、用紙管理の対象となる画像形成装置１０３のモデルを判別する。この画像形成装置１０３のモデルは、図４のようなトップ画面を作成する時や、モデルごとの仕様差を吸収する際に使用される。ここでＣＰＵ３０１は、ＬＡＮコントローラ３０６を介して画像形成装置１０３と通信を行って、そのモデル情報を取得し、予め保持しているモデル情報を基に画像形成装置１０３のモデルを判別する。次にＳ５０２に進みＣＰＵ３０１は、その画像形成装置１０３に接続されているハードウェアオプションを判別し、図４のトップ画面を作成する時、給紙段の情報を特定する時や、モデルごとの仕様差を吸収する際に使用する。次にＳ５０３に進みＣＰＵ３０１は、その画像形成装置１０３に接続されている給紙段を判別し、接続されている給紙段の数を特定する。次にＳ５０４に進みＣＰＵ３０１は、その画像形成装置１０３のそれぞれの給紙段に設定されている用紙情報を取得する。次にＳ５０５に進みＣＰＵ３０１は、図４のトップ画面４０１に表示する給紙段ボタンの情報を作成する。次にＳ５０６に進みＣＰＵ３０１は、その画像形成装置１０３から用紙リスト情報を取得する。そしてＳ５０７に進みＣＰＵ３０１は、トップ画面４０１に表示する用紙リストの情報を作成する。次にＳ５０８に進みＣＰＵ３０１は、画像形成装置１０３から図４のボタン４１７を作成するために、各給紙段における用紙の設定の変更の許可／禁止を取得する。こうして設定の変更の許可／禁止を取得するとＳ５０９に進みＣＰＵ３０１は、その取得した設定に基づいて、各給紙段ボタンのボタン４１７に表示する文字列を作成する。ここでは設定の変更が許可されているときは「許可」を表示し、禁止されているときは「禁止」を表示する。次にＳ５１０に進みＣＰＵ３０１は、これまでの処理で取得した情報を基に、例えば図４に示トップ画面４０１を表示する。
【００３２】
図６は、実施形態に係る画像形成装置１０３における、図５の印刷制御装置の１０２の処理に対する処理を説明するフローチャートである。尚、このフローチャートで示す処理は、ＣＰＵ２０１が外部記憶装置２１１からＲＡＭ２０２に展開したプログラムを実行することにより実現される。
【００３３】
この処理は画像形成装置１０３が起動することにより開始され、先ずＳ６０１でＣＰＵ２０１は、画像形成装置１０３のモデル情報を外部記憶装置２１１より取得し、印刷制御装置１０２に返信可能なデータとして作成する。次にＳ６０２に進みＣＰＵ２０１は、画像形成装置１０３に接続されているハードウェアオプション情報を外部記憶装置２１１より取得し、印刷制御装置１０２に返信可能なデータとして作成する。次にＳ６０３に進みＣＰＵ２０１は、画像形成装置１０３の給紙段情報を外部記憶装置２１１より取得し、印刷制御装置１０２に返信可能なデータとして作成する。次にＳ６０４に進みＣＰＵ２０１は、画像形成装置１０３の用紙リスト情報を外部記憶装置２１１より取得し、印刷制御装置１０２に返信可能なデータとして作成する。次にＳ６０５に進みＣＰＵ２０１は、画像形成装置１０３の各給紙段における設定変更の禁止／許可の情報を外部記憶装置２１１より取得し、印刷制御装置１０２に返信可能なデータとして作成する。ここでの調整値の取得は、画像形成装置１０３で実施可能な調整項目の全てに対して実施する。
【００３４】
次にＳ６０６に進みＣＰＵ２０１は、印刷制御装置１０２よりモデル情報の問合せを受信したか否かを判定し、モデル情報の問合せを受信しないときはＳ６０８に進むが、そうでないときはＳ６０７に進む。Ｓ６０７でＣＰＵ２０１は、Ｓ６０１で作成したモデル情報を印刷制御装置１０２に返信してＳ６０８に進む。Ｓ６０８でＣＰＵ２０１は、印刷制御装置１０２よりハードウェアオプション情報の問合せを受信したか否か判定する。ここでハードウェアオプション情報の問合せを受信した場合はＳ６０９に進むが、そうでないときはＳ６１０に進む。Ｓ６０９でＣＰＵ２０１は、Ｓ６０２で作成したハードウェアオプション情報を印刷制御装置１０２に返信してＳ６１０に遷移する。
【００３５】
Ｓ６１０でＣＰＵ２０１は、印刷制御装置１０２より給紙段情報の問合せを受信したか否か判定する。ここで給紙段情報の問合せを受信したと判定するとＳ６１１に進むが、そうでないときはＳ６１２に進む。Ｓ６１１でＣＰＵ２０１は、Ｓ６０３で作成した給紙段情報を印刷制御装置１０２に返信してＳ６１２に遷移する。Ｓ６１２でＣＰＵ２０１は、印刷制御装置１０２より用紙リスト情報の問合せを受信したか否か判定し、用紙リスト情報の問合せを受信したときはＳ６１３に進み、そうでないときはＳ６１４に進む。Ｓ６１３でＣＰＵ２０１は、Ｓ６０４で作成した用紙リスト情報を印刷制御装置１０２に返信してＳ６１４に遷移する。Ｓ６１４でＣＰＵ２０１は、印刷制御装置１０２よりボタン４１７の情報の問合せを受信したか否か判定し、その情報の問合せを受信した場合はＳ６１５に遷移し、そうでないときはＳ６０６に進む。Ｓ６１５でＣＰＵ２０１は、Ｓ６０５で作成したボタン４１７の情報を印刷制御装置１０２に返信してＳ６０６に遷移する。
【００３６】
次に説明を図４に戻し、ユーザが給紙段１の給紙段ボタン４０６をポインティングデバイス１１５等を用いて指示すると、図７に示すような給紙段１の用紙設定画面が表示される。
【００３７】
図７は、実施形態に係る印刷制御装置１０３の外部表示装置１１３に表示される給紙段１の用紙設定画面の一例を示す図である。実施形態では詳細に説明しないが、各給紙段は、インサータや手差しトレイなどの給紙装置を含むことはいうまでもない。また、以降の説明では、ボタン押下時等のアプリケーションの操作時にポインティングデバイス１１５等を使用するといった説明は省略するが、このような入力デバイスを使用して操作することはいうまでもない。この用紙設定画面は、ＣＰＵ３０１からの指示に従ってビデオメモリに描画すると共に、ビデオメモリに描画されたイメージデータをビデオ信号として外部表示装置１１３に出力されて表示される。
【００３８】
給紙段１の画面の用紙設定画面７０１には、用紙情報の表示領域７０２と、用紙リスト表示領域７０３と、割当ボタン７０４、用紙リスト更新ボタン７０５、閉じるボタン７０６が表示される。表示領域７０２は、現在、給紙段１に設定されている用紙の設定情報を表示している。図４の給紙段ボタン４０６が押下されて、この用紙設定画面７０１が表示された時には、給紙段１に現在割当てられている用紙の情報が表示領域７０２に表示される。用紙リスト表示領域７０３には、印刷制御装置１０２と画像形成装置１０３とが管理している用紙情報がリスト化して表示される。用紙リスト表示領域７０３から用紙の種類を選択すると、その選択された用紙の情報が用紙情報の表示領域７０２に表示される。図７では、用紙リスト表示領域７０３で「厚紙」が選択されているため、その「厚紙」の情報が用紙情報の表示領域７０２に表示されている。
【００３９】
まず、用紙情報の表示領域７０２の各入力項目について説明する。
【００４０】
７０７は、用紙の名称を入力できるテキストフィールドである。用紙の名称を変更する場合は、キーボード１１４等を使用して、テキストフィールド７０７に文字を入力して変更する。以降の説明では、入力時にキーボード１１４等を使用するといった説明は省略するが、このような入力デバイスを使用して文字を入力することはいうまでもない。そして、ここで変更した情報を用紙情報に反映させるためには、用紙リスト更新ボタン７０５を押下する。用紙リスト更新ボタン７０５が押下されると、印刷制御装置１０２と画像形成装置１０３の用紙情報が変更される。７０８は、坪量を入力できるテキストフィールドである。坪量が入力されたときの動作は、テキストフィールド７０７に文字を入力した場合と同じであるため、その説明を省略する。７０９は、用紙のサイズ情報を表示するコンボボックスである。このコンボボックス７０９に、リスト表示されたサイズ情報から所望の用紙サイズを選択して設定することができる。こうして変更した用紙サイズを用紙情報に反映させるためには、用紙リスト更新ボタン７０５を押下する。用紙リスト更新ボタン７０５が押下されると、印刷制御装置１０２と画像形成装置１０３の用紙情報がそれに応じて変更される。７１０は、用紙の表面性を表示するコンボボックスである。このコンボボックス７０９が指示されたときの動作は、サイズコンボボックス７０９の場合と同じであるため、その説明を省略する。以下の説明でも、特に説明しない場合は、コンボボックス７０９が指示されたときの動作と同じであるため、その説明を省略する。７１１は、用紙の特徴情報を表示するコンボボックスである。７１２は、用紙の色情報を表示するコンボボックスである。７１３は、両面の２面目情報を表示するコンボボックスである。７１４は、スキ目情報を表示するコンボボックスである。
【００４１】
７１５は、調整関連の設定をまとめて表示する領域である。調整関連の設定項目は多数存在するため、この画面中に全てを収めることが出来ない。現在表示されていない調整の設定項目を確認する場合は、スライダーバー７１６を操作することで、表示されていない設定値を表示することが可能となる。７１７は、画像位置調整の設定項目ボタンで、このボタン７１７に、現在の用紙が既に調整済みかが表示される。既に調整済みの場合は「調整あり」と表示し、調整していない場合は「調整なし」と表示する。この画像位置調整の設定項目ボタン７１７が押下されると調整画面が表示され、この調整画面を介してユーザは、各種調整値を入力することができる。そして変更した情報を用紙情報に反映させるためには、ユーザは用紙リスト更新ボタン７０５を押下する。この用紙リスト更新ボタン７０５が押下されると、印刷制御装置１０２、画像形成装置１０３の用紙情報を変更することが出来る。７１８は、カール補正の設定項目ボタンで、このボタン７１８が押下されたときの動作は、画像位置調整の設定項目ボタン７１７と場合と同様であるため、その説明を省略する。７１９は、後処理の一例であるサドル折位置の調整の設定項目ボタンで、このボタン７１９に、現在の調整値がｍｍ単位で表示される。サドル折位置の調整の設定項目ボタン７１９が押下されると調整画面が表示され、この調整画面で各種調整値を入力することが可能である。変更した情報を用紙情報に反映させるためには、用紙リスト更新ボタン７０５を押下する。これにより印刷制御装置１０２、画像形成装置１０３の用紙情報が変更される。７２０は、クリープ補正量の調整の設定項目ボタンで、このボタン７２０の押下に伴う動作は、サドル折位置の調整の設定項目ボタン７１９と同じであるため、その説明を省略する。これは以下に説明するボタンの場合も、前述の各対応するボタンの場合と同様であるため、その説明を省略する。７２１は、中とじ折位置の調整の設定項目ボタンである。７２２は、中とじ位置調整の設定項目ボタンである。７２３は、二次転写電圧の調整の設定項目ボタンである。７２４は、先端部二次転写電圧の調整の設定項目ボタンである。７２５は、二次転写除電バイアスの調整の設定項目ボタンである。７２６は、一次転写電圧の調整の設定項目ボタンである。
【００４２】
次に、用紙リスト表示領域７０３について説明する。
【００４３】
用紙リスト７２７は、各列に用紙の属性情報を配置し、各行には、その用紙の情報が設定されている。用紙リスト７２７に表示されている以外の用紙の属性を表示したい場合は、スライダーバー７２８を操作して横方向にスクロールさせて他の属性を表示できる。また表示されている用紙以外を表示したい場合は、スライダーバー７２９を操作して縦方向にスクロールさせて他の用紙を表示できる。７３０は、この用紙リスト７２７で選択されている用紙を示し、選択されていることが分かるように反転表示されている。他の用紙は、選択されていない用紙を示し、用紙リスト７２７で、これら用紙のいずれかが選択されると、用紙表示領域７０２に、その選択された用紙の情報が表示される。そして、この状態で、割当てボタン７０４が押下されると、給紙段１に、その新たに選択された用紙を割当てることができる。ここで給紙段１の用紙設定を変更せずに終了する場合、ユーザは閉じるボタン７０６を押下する。
【００４４】
尚、本実施形態は、印刷制御装置１０２上で動作する用紙管理アプリケーションを例に説明するが、用紙管理アプリケーションに限定されるものではない。画像形成装置１０１や印刷制御装置１０２において同様の仕組みを実施する形態でもよい。
【００４５】
以上の前提に基づいて、以下、本発明の実施形態１〜３を説明する。
【００４６】
［実施形態１］
図９は、実施形態１に係る印刷制御装置１０２で表示される用紙リスト画面９０１の一例を示す図である。この用紙リスト画面９０１には、印刷制御装置１０２が管理している用紙の一覧が表示される。
【００４７】
この用紙リスト画面９０１で用紙を選択して編集ボタン９１９が押下されると、図１０に示す用紙設定画面１００１が表示される。ここではカール補正量の設定を行う例で説明するが、その他の設定項目における処理でも同様であることはいうまでもない。
【００４８】
実施形態１を説明するための前提条件を説明する。ここでは説明のため、例えば給紙段１と給紙段２に片面コート紙＿１（図９の９０９）が設定されており、それ以外の給紙段には片面コート紙＿１とは異なる種類の用紙が設定されているものとする。更に、図４のように給紙段１のボタン４０６のボタン４１７により、給紙段１の用紙設定の変更は禁止状態で、片面コート紙＿１の用紙設定を変更できない状態である。この状態でユーザが給紙段１の用紙の設定を変更せずに、給紙段２のカール補正量を変更する例を用いて実施形態１を説明する。
【００４９】
トップ画面４０１で用紙リストボタン４１８が押下されると、用紙管理アプリケーションは、例えば図９に示すような用紙リスト画面９０１を外部外部表示装置１１３の最前面に表示する。ここで用紙設定画面を起動するために、図９の用紙リスト画面９０１について説明する。
【００５０】
用紙リスト画面９０１は、ＣＰＵ３０１からの指示に従ってそのビデオメモリに描画されると共に、ビデオメモリに描画されたイメージデータをビデオ信号として外部表示装置１１３に出力されて表示される。用紙リスト９０２は、印刷制御装置１０２が管理している用紙の一覧である。ここでは各列には用紙の属性情報が、各行には用紙が設定される。表示されている属性以外の用紙の属性情報を表示したい場合はスライダーバー９０３を操作することで表示され、表示されている用紙以外を表示したい場合はスライダーバー９０４を操作することで表示可能となる。用紙リスト９０２に表示されている用紙の内、用紙９０９は選択状態であり、選択されていることが分かるように白黒反転表示されている。それ以外の非選択状態の用紙は、反転されずに表示される。この状態でＯＫボタン９１６が押下されると、選択状態の用紙に、変更された設定の内容が反映される。キャンセルボタン９１７は、設定をキャンセルするように指示する。新規作成ボタン９１８が押下されると、新規に用紙を生成する新規用紙の作成画面が表示される。編集ボタン９１９が押下されると、選択された用紙（ここでは用紙９０９）の設定確認、及びその設定を変更するための用紙設定画面（図１０の１００１）が表示される。複製ボタン９２０が押下されると、選択された用紙（ここでは用紙９０９）の情報の複製、及び、設定変更を行うための用紙設定画面が表示される。
【００５１】
用紙管理アプリケーションは、この用紙リスト画面９０１で用紙９０９が選択されている状態で編集ボタン９１９が押下されると、図８のフローチャートで示す用紙設定編集処理を開始する。
【００５２】
図８は、実施形態１に係る印刷制御装置１０２による用紙設定の編集処理を説明するフローチャートである。尚、このフローチャートで示す処理は、ＣＰＵ３０１が外部記憶装置３０９からＲＡＭ３０２に展開したプログラムを実行することにより実現される。
【００５３】
まずＳ８０１でＣＰＵ３０１は、図９の用紙リスト画面９０１で選択されている用紙９０９の用紙設定を参照するために、用紙９０９の用紙ＩＤを取得する。次にＳ８０２に進みＣＰＵ３０１は、その取得した用紙ＩＤが、用紙設定の変更が禁止されている給紙段に収容されているか否か判定する。実施形態１では、一例として、選択された用紙ＩＤの用紙を収容している給紙段が、用紙設定の変更が禁止になっている場合には、その選択された用紙ＩＤの用紙９０２の用紙設定の変更はできないとしている。ここで取得した用紙ＩＤの用紙が、用紙設定の変更が禁止されている給紙段に収容されていると判定するとＳ８０３に進み、そうでないときはＳＳ８０６に進む。Ｓ８０６でＣＰＵ３０１は、その用紙の変更された用紙設定を、元の用紙設定に上書きして保存するための、例えば図７の用紙リスト更新ボタン７０５のようなボタンを作成してＳ８０５に進む。
【００５４】
Ｓ８０３での処理を詳しく説明すると、ＣＰＵ３０１は、取得した画像形成装置１０３の給紙段情報から、その用紙ＩＤの用紙が収容されている給紙段を検索する。ここでＣＰＵ３０１は、その検索処理の結果、片面コート紙＿１を示す用紙ＩＤの用紙は、例えば給紙段１，２に収容されていることを検索結果として取得する。次にＣＰＵ３０１は、それら給紙段に対して、ＲＡＭ３０２に格納されている用紙設定の変更可否が禁止状態であるか否か判定する。ここではＣＰＵ３０１は、その検索結果に基づき、給紙段１，２に設定されている用紙設定の変更可否状態を確認する。ここでは給紙段１が用紙設定の変更が禁止に設定されているため、その用紙ＩＤの用紙に対しては、用紙設定を変更できないと判定する。従ってＳ８０３に進みＣＰＵ３０１は、その変更された用紙の設定を、別名で保存するためのボタン１００５（図１０）を作成する。次にＳ８０４に進みＣＰＵ３０１は、その選択されている用紙の設定を変更できない理由を提示するためのメッセージ１００４（図１０）を作成する。そしてＳ８０５に進みＣＰＵ３０１は、例えば図１０に示すような用紙編集画面を外部表示装置１１３へ表示するように表示制御を行う。
【００５５】
図１０は、図９の画面で編集ボタン９１９が押下されたときに表示される用紙編集画面１００１の一例を示す図である。尚、図１０において、前述の図７と共通する部分は同じ参照番号で示し、それらの説明を省略する。尚、図１０では図７と同じ一部の参照番号は略している。
【００５６】
図１０と図７との差異は、図７の用紙リスト７０３、割当てボタン７０４相当のボタンがないことと、図１０では、メッセージフィールド１００４と別名で保存ボタン１００５が追加されている点である。また、メッセージフィールド１００４は、選択された用紙（片面コート紙＿１）は、用紙の設定を変更できない給紙段１で使用中であるため、その選択された用紙の設定を変更できない旨を表示している。また変更を保存するときには、別名で保存する必要があることも表示している。
【００５７】
別名で保存ボタン１００５は、選択されている用紙ＩＤとは別の用紙ＩＤとして保存するように指示するボタンである。実施形態１では、図９の用紙リスト画面９０１で用紙を選択して図１０の用紙編集画面１００１を表示する場合は、給紙段への用紙割当てや、用紙設定画面での選択用紙の変更はない。従って、図１０の用紙編集画面１００１では、用紙リスト７０３、割当てボタン７０４を表示しない画面で記載している。しかしながら、用紙編集画面１００１に用紙リスト７０３、割当てボタン７０４を表示するようにしてもよい。またＳ８０３でＣＰＵ３０１は、用紙リスト更新ボタン７０５と別名で保存ボタン１００５を同時に表示してもよい。また、用紙ＩＤの用紙の設定を変更できない場合は、用紙リスト更新ボタン７０５をグレーアウトして、ユーザが押下できない状態にし、別名で保存ボタン１００５を押下できるようしても良い。
【００５８】
これ以降、ユーザは例えば、図１０の用紙設定画面１００１のカール補正の設定項目ボタン７１８を押下し、表示されたカール補正の調整画面に従い補正量を入力する。入力後に、ユーザは別名で保存ボタン１００５を押下し、その設定内容を保存する。その後、ユーザは図４の給紙段ボタン（例えば給紙段２の給紙段ボタン４０７）を押下し、図７の用紙設定画面７０１上で別名保存した用紙を選択し、割当てボタン７０４を押下する。これによってユーザは、給紙段１の用紙設定を変更せずに、給紙段２の用紙の設定のうちカール補正量を変更することが可能になる。
【００５９】
以上説明したように実施形態１によれば、ユーザは、用紙リスト画面から用紙を選択してその設定を変更しようとする際、その用紙が他の設定変更が禁止されている給紙段に収容されているかどうか、即ち、その用紙の設定を変更できるかどうか判別できる。そして、その用紙の設定を変更できないときは、メッセージフィールドによって、その理由を確認できる。またその用紙の設定の変更を保存するには、別名で保存する必要があることを確認できる。
【００６０】
またユーザは、図１０の別名で保存ボタン１００５により、変更した用紙の設定を別名で保存でき、その保存した用紙の設定を使用して、所望の給紙段（設定が禁止されていない）の用紙の設定を変更できる。そのためユーザは、一々、図９の用紙リスト画面９０１に戻って複製ボタン９２０を押して、その用紙の情報をコピーして設定を変更するといった操作を行わなくてもよくなり、操作性を向上できる。
【００６１】
［実施形態２］
次に実施形態２を説明する。実施形態２では、図４の給紙段２の給紙段ボタン４０７を選択して図９の用紙設定画面９０１を表示して、給紙段２の用紙のカール補正量の設定を行う例を説明する。しかし、その他の項目の設定処理も同様にして実現できるため、ここではカール補正量の設定を例に説明する。尚、実施形態２に係る画像形成装置１０３、印刷制御装置１０２の構成等は前述の実施形態１と同様であるため、それらの説明を省略する。
【００６２】
実施形態２を説明するための前提条件を説明する。実施形態１と同様に、ここでは説明のため、給紙段１と給紙段２に片面コート紙＿１（図９の９０９）が設定されており、それ以外の給紙段には片面コート紙＿１とは異なる用紙が設定されているものとする。更に給紙段１の用紙の設定の変更可否状態は「禁止」であり、片面コート紙＿１の設定を変更できない状態である。この状態で、ユーザが給紙段１の用紙に対する設定を変更せずに、給紙段２の用紙のカール補正量を変更する例で説明する。
【００６３】
前述の実施形態１との違いは、最初に、用紙の設定を変更する対象の給紙段を選択し、その給紙段が用紙の設定が禁止されているかどうか、或いは実施形態１と同様に、その収容している用紙が、用紙の設定が禁止されている他の給紙段にあるかどうか判定する。そして、選択した給紙段に主要している用紙が、上記いずれかの場合に該当する、その用紙の設定変更を不可能にする点で異なる。ここで、図４の給紙段２の給紙段ボタン４０７を押下することで表示される用紙設定画面を図１１を用いて説明する。
【００６４】
図１１は、実施形態２に係る印刷制御装置１０２の外部表示装置１１３に表示される給紙段２の用紙設定画面の一例を示す図である。尚、図１１において、前述の図７、図１０と共通する部分は同じ参照番号で示し、それらの説明を省略する。
【００６５】
図７で説明した用紙設定画面７０１において、用紙設定変更できない場合に表示する用紙設定画面の一例を示すものである。この図１１は、図７に存在する用紙リスト７０３、割当てボタン７０４に相当する用紙リスト１１０３、割当ボタン７０４として存在すること点以外は図１０と同じである。そのため、ここでは、それらの説明は省略する。
【００６６】
用紙管理アプリケーションは、給紙段ボタンが押下された場合、その給紙段ボタンに対応する給紙段に設定されている用紙に対して図１２のフローチャートで示す用紙設定編集処理を開始する。
【００６７】
図１２は、実施形態２に係る印刷制御装置１０２による用紙設定の編集処理を説明するフローチャートである。尚、このフローチャートで示す処理は、ＣＰＵ３０１が外部記憶装置３０９からＲＡＭ３０２に展開したプログラムを実行することにより実現される。尚、図１２において、前述の図８と共通する処理には同じ参照符号を付して、その説明を省略する。
【００６８】
この処理は、図４の画面で給紙段を選択する給紙段ボタンが押下されることにより開始される。まずＳ１２０１でＣＰＵ３０１は、給紙段ボタンが押下されたことを検知すると、ＲＡＭ３０２に格納されている、対応する給紙段の情報を取得し、その給紙段に設定されている用紙の用紙ＩＤを取得する。次にＳ１２０２に進みＣＰＵ３０１は、その給紙段２では用紙の設定を変更できるかどうか判定する。ここで用紙の設定が変更できない給紙段であればＳ１２０３に処理を進め、そうでないときはＳ８０２に処理を進める。ここでは、給紙段２の場合は、用紙の設定が変更できるためＳ８０２へ処理を進める。Ｓ８０２〜Ｓ８０６の処理は前述した通りである。
【００６９】
Ｓ１２０３でＣＰＵ３０１は、表示する用紙設定変更画面１１０１（図１１）において、設定変更の反映、及び、給紙段への割当てる用紙の変更操作できないように制御する。例えば、割当ボタン７０４、及び、用紙リスト更新ボタン７０５をグレーアウトするように設定し、用紙領域１１０２、及び、用紙リスト１１０３のボタン押下やクリック操作などを無効にすることで設定変更できないようにしてもよい。次にＳ１２０４に進みＣＰＵ３０１は、Ｓ１２０２で選択された給紙段の設定を変更できない理由を表示するために、表示メッセージを生成する。ここでは例えば、「給紙段１は、用紙の設定変更が禁止されているので設定を上書きできません」のようなメッセージを生成する。そしてＣＰＵ３０１は、例えば図１１に示すような用紙設定画面１１０１を生成して外部表示装置１１３へ表示するように表示制御を行う。
【００７０】
実施形態２では、実施形態１と同様に、用紙リスト更新ボタン７０５を、別名で保存ボタン１００５で差し替える形態で説明しているが、用紙リスト更新ボタン７０５と別名で保存ボタン１００５を同時に表示するようにしてもよい。そして用紙の設定が変更できない場合は、用紙リスト更新ボタン７０５をグレーアウトして押下不可能な状態にし、別名で保存ボタン１００５を押下可能な状態にするような形態でもよい。こうしてＳ８０５で、例えば図１１の用紙設定画面１１０１を生成して外部表示装置１１３へ表示するように表示制御を行う。
【００７１】
これ以降、ユーザは、例えば図１１の用紙設定画面１１０１のカール補正の設定項目ボタン７１８を押下し、表示されたカール補正の調整画面に従いカール補正量を入力する。その入力後、ユーザは別名で保存ボタン１００５を押下し、その用紙の設定の変更内容を別名で保存する。その後、ユーザは、その用紙の設定変更が禁止されている給紙段の用紙設定を許可状態にした後、図７の画面で割当てボタン７０４を押下して、別名で保存した用紙の設定を、その給紙段に割り当てる。これによって、ユーザは、用紙の設定が禁止されている給紙段１の用紙の設定を変更せずに、所望の給紙段の用紙のカール補正量の設定だけを変更することができる。
【００７２】
以上説明したように実施形態２によれば、ユーザは、給紙段を選択してその設定を変更しようとする際、その給紙段の用紙の設定変更が禁止されているかどうか、またその用紙にが変更が禁止されている他の給紙段にあるかどうか判別できる。即ち、その用紙の設定を変更できるかどうか判別できる。そして、その用紙の設定を変更できないと判定すると、メッセージフィールドによって、その理由をユーザに提示できる。またその用紙の設定の変更を保存するには、別名で保存する必要があることをユーザに提示できる。
【００７３】
また実施形態１と同様に、ユーザは、図１０の別名で保存ボタン１００５により、変更した用紙の設定を別名で保存でき、その保存した用紙の設定を使用して、所望の給紙段（設定が禁止されていない）の用紙の設定を変更できる。そのためユーザは、一々、図９の用紙リスト画面９０１に戻って複製ボタン９２０を押して、その用紙の情報をコピーして設定を変更するといった操作を行わなくてもよくなり、操作性を向上できる。
【００７４】
［実施形態３］
前述の実施形態１，２では、選択された用紙の設定が変更できない状態あれば、選択された用紙を別の用紙として保存させるフローを実現する形態について説明した。
【００７５】
しかしながら、ユーザによっては、給紙段の設定の変更可否状態を一時的に禁止状態にしたことを解除し忘れていたまま、用紙の設定を変更する操作を行う場合が考えられる。その場合、ユーザは別名で保存ではなく、設定を上書きするため図４の画面４０１に戻って、対象給紙段の設定変更可否状態を「許可」にしてから、再度、用紙設定画面で設定変更を行う必要があり操作に手間がかかる。そこで実施形態３では、実施形態２において設定を変更できない用紙を編集する際に、図１３のフローチャートに従って設定変更可否状態の禁止状態を解除する画面を表示して、用紙設定変更可否を切り替える例について説明する。尚、実施形態３に係る画像形成装置１０３、印刷制御装置１０２の構成等は前述の実施形態１と同様であるため、それらの説明を省略する。
【００７６】
図１３は、実施形態３に係る印刷制御装置１０２による用紙設定の編集処理を説明するフローチャートである。尚、このフローチャートで示す処理は、ＣＰＵ３０１が外部記憶装置３０９からＲＡＭ３０２に展開したプログラムを実行することにより実現される。尚、図１３において、前述の図８と共通するステップは同じ参照符号付して、その説明を省略する。
【００７７】
Ｓ１３０１でＣＰＵ３０１は、図１４に示す用紙設定変更禁止を解除する画面１４０１を外部表示装置１１３に表示する。
【００７８】
図１４は、実施形態３に係る印刷制御装置１０２で動作する用紙管理アプリケーションによる表示される用紙設定変更禁止を解除する画面１４０１の一例を示す図である。
【００７９】
この画面は、メッセージフィールド１４０２、解除処理のキャンセルボタン１４０３、解除実行のＯＫボタン１４０４を含んでいる。メッセージフィールド１４０２には、設定変更可否状態が禁止状態である給紙段を特定できる情報を表示し、ユーザにその設定を解除するか否かを確認するメッセージを表示する。尚、メッセージだけでなく、どの給紙段が禁止状態になっているかどうか給紙段構成図のようなものを表示して可視化してもよい。解除処理のキャンセルボタン１４０３は、設定変更の禁止状態を解除して許可状態に変更することを中止するボタンである。解除実行のＯＫボタン１４０４は、選択された用紙が入っている給紙段で、用紙の設定変更が禁止されている給紙段に対して、一括して許可状態に変更することを指示するボタンである。
【００８０】
次にＳ１３０２に進みＣＰＵ３０１は、画面１４０１において、キャンセルボタン１４０３、または、ＯＫボタン１４０４が押下されるまでＳ１３０２でボタン入力待ち状態にする。Ｓ１３０２でＣＰＵ３０１は、キャンセルボタン１４０３或いはＯＫボタン１４０４が押下されたかどうか判定する。キャンセルボタン１４０３が押下された場合はＳ８０３へ処理を進め、ＯＫボタン１４０４が押下された場合はＳ１３０３へ処理を進める。Ｓ１３０５でＣＰＵ３０１は、図１０の用紙設定画面の別名で保存ボタン１００５を、用紙リスト更新ボタン７０５に置き換えて、用紙領域の設定を編集可能な状態に設定する。また用紙リスト更新ボタン７０５を押下できる状態にして、設定変更内容をＲＡＭ３０２へ格納できるように設定する。
【００８１】
以上説明したように実施形態３によれば、ユーザが用紙の設定を変更しようとしたとき、その用紙が、用紙の設定変更が禁止されている他の給紙段に収容されているために、その設定変更ができない場合、簡単にその給紙段の用紙設定変更禁止を解除できる。これにより、ユーザが意図した用紙の設定を変更することができるようになる。
【００８２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００８３】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００８４】
１００…画像形成システム、１０２…印刷制御装置、１０３…画像形成装置、１０４…スキャナ部、１０５…操作部、１１３…外部表示装置、３０１…ＣＰＵ、３０２…ＲＡＭ、３０３…ＲＯＭ
【図１】
2019025689.tif 000003
【図２】
2019025689.tif 000004
【図３】
2019025689.tif 000005
【図４】
2019025689.tif 000006
【図５】
2019025689.tif 000007
【図６】
2019025689.tif 000008
【図７】
2019025689.tif 000009
【図８】
2019025689.tif 000010
【図９】
2019025689.tif 000011
【図１０】
2019025689.tif 000012
【図１１】
2019025689.tif 000013
【図１２】
2019025689.tif 000014
【図１３】
2019025689.tif 000015
【図１４】
2019025689.tif 000016